(57)【要約】【課題】  板材を強化して制作段階でのロスを無くすこと、ファルカタ材であっても木粉の発生を防止して食品の包装に利用できることはもちろん、木の質感を活かしつつ、色褪せや収縮、カビの発生を防止して鮮やかで立体的な花びらや葉等の草花による装飾を施した収納箱を提供する。【解決手段】  収納部３と蓋部２とからなる収納箱１であって、少なくとも前記収納部３の側板５および前記蓋部２をファルカタ材９により構成するとともに、前記ファルカタ材９の外表面に乾燥させた花びらや葉等の草花１０をちりばめ、前記ファルカタ材９および前記草花１０の上に透明ないし半透明の合成樹脂フィルム８をエチレン―酢酸ビニル共重合樹脂からなる接着材１１により貼着させる。【選択図】      図１
0003115436.tif 000002
【実用新案登録請求の範囲】
【請求項１】
収納部と蓋部とからなる収納箱であって、少なくとも前記収納部の側板および蓋部をファルカタ材により構成するとともに、前記ファルカタ材の外表面に乾燥させた花びらや葉等の草花をちりばめ、前記ファルカタ材および前記草花の上に透明ないし半透明の合成樹脂フィルムをエチレン―酢酸ビニル共重合樹脂からなる接着材により貼着させたことを特徴とする草花装飾付き収納箱。
【請求項２】
請求項１において、前記収納部および前記蓋部に使用されるファルカタ材は、厚さが２ｍｍ、３ｍｍ、６ｍｍの単板、４ｍｍ、５ｍｍ、６ｍｍの合板、２ｍｍ、３ｍｍ、４ｍｍ、５ｍｍ、６ｍｍのベニヤのうちから選択されるいずれかの板材に形成することを特徴とする草花装飾付き収納箱。
【考案の詳細な説明】
【技術分野】
【０００１】
本考案は、木製の収納箱に関するものであり、特に表面に乾燥させた花びらや葉による装飾を施した草花装飾付き収納箱に関するものである。
【背景技術】
【０００２】
従来より、木製の収納箱は、素材である木質が自然な美しさや風情を醸しだし、また、強度が高く変形しにくいことから、高級料理や土産物の包装、弁当や寿司などの食品の包装に広く用いられている。
【０００３】
しかし、木製の収納箱は薄い板材で作られるところ、製作時に板材が破損してしまうことが多く、時間的および費用的なロスがあった。また、従来から収納箱の材料として用いられてきた、えぞまつ、もみ、とうひなどは、木粉が出にくい点から食品の包装容器用には適しているものの、材料原価が高く加工コストが高くなるため、比較的材料原価が安い東南アジア南方に広く植生する豆科の植木であるファルカタなどが利用されている。しかし、これらの植木は年輪がないため木粉が出やすく、これらを用いて作られた収納箱は、食品の包装用としては不向きであるという問題があった。
【０００４】
そこで、本出願人は、実用新案登録第３０７３７１４号公報（特許文献１）では、木製容器における木の質感を保ちつつ板材の強化を図り制作段階でのロスを無くすための考案、実用新案登録第３０７６１９５号公報（特許文献２）では、木製の収納箱の形成にあたり、木粉の発生を防止し、使用する木材の種類にかかわらず収納箱を食品の包装に利用できる考案を提案している。
【０００５】
【特許文献１】実用新案登録第３０７３７１４号公報
【特許文献２】実用新案登録第３０７６１９５号公報
【考案の開示】
【考案が解決しようとする課題】
【０００６】
ところで、木製の収納箱は、高級料理や土産物の包装に用いられるゆえに、食品用包装容器としての機能はもちろんのこと、それと同時に贈答用としての外観の華やかさが求められる。外観を装飾する方法としては、箱の外側に彩色を施す方法があるが、これでは絵を描いたり、色を塗ることによって木の質感が薄れてしまう。また、他の方法として、表面に模様などの絵を印刷した化粧紙やフィルム等を貼る方法があるが、これでは模様が平面的なものになってしまいインパクトに欠ける。さらに、木の風合いにあった装飾として草花を用いる方法が考えられるが、花びらや葉が色褪せしたり収縮してしまうし、花びら等に残った水分によりカビが生えたりするため、植物そのものの美しさを活かした装飾ができないという問題があった。
【０００７】
本考案は、このような問題点を解決するためになされたものであって、板材を強化して制作段階でのロスを無くすこと、ファルカタ材であっても木粉の発生を防止して食品の包装に利用できることはもちろん、木の質感を活かしつつ、色褪せや収縮、カビの発生を防止して鮮やかで立体的な花びらや葉等の草花による装飾を施した収納箱を提供することを目的としている。
【課題を解決するための手段】
【０００８】
本考案に係る収納箱の特徴は、収納部と蓋部とからなる収納箱であって、少なくとも前記収納部の側板および前記蓋部をファルカタ材により構成するとともに、前記ファルカタ材の外表面に乾燥させた花びらや葉等の草花をちりばめ、前記ファルカタ材および前記草花の上に透明ないし半透明の合成樹脂フィルムをエチレン―酢酸ビニル共重合樹脂からなる接着材により貼着させた点にある。
【０００９】
また、本考案において、前記収納部および蓋部に使用されるファルカタ材は、厚さが２ｍｍ、３ｍｍ、６ｍｍの単板、４ｍｍ、５ｍｍ、６ｍｍの合板、２ｍｍ、３ｍｍ、４ｍｍ、５ｍｍ、６ｍｍのベニヤのうちから選択されるいずれかの板材に形成することが望ましい。
【考案の効果】
【００１０】
本考案によれば、板材を強化して制作段階でのロスを無くすこと、ファルカタ材であっても木粉の発生を防止して食品の包装に利用できることはもちろん、木の質感を活かしつつ、色褪せや収縮、カビの発生を防止して鮮やかで立体的な花びらや葉等の草花による装飾を施した収納箱よる装飾を施すことができる。
【考案を実施するための最良の形態】
【００１１】
以下、本考案に係る収納箱について図面を参照しつつ説明する。
【００１２】
図１は、本考案の実施形態における収納箱１を示す斜視図であり、図２は収納箱１の蓋部２を除いた収納部３の斜視図である。図３は本実施形態における収納部３の底板４と側板５の構成を示す一部断面図である。以下、本実施形態の収容箱の構成について詳細する。
【００１３】
図１に示すように、収納箱１は、底板４およびこの底板４の周囲を囲う側板５からなる収納部３と、天蓋６およびこの天蓋６の周囲を囲う蓋側板７からなる蓋部２とで構成されている。
【００１４】
図１および図２に示すように、収納部３は、底板４の周縁部に沿うように矩形に開口した筒状の側板５の内側下縁部に、前記底板４が嵌め込まれて一体的に形成されており、蓋部２は、天蓋６の周縁部に沿うように矩形に開口した筒状の蓋側板７の内側上縁部に、天蓋６が嵌め込まれて一体的に形成されている。
【００１５】
底板４、側板５、天蓋６、蓋側板７は、表裏面に合成樹脂フィルム８を貼着したファルカタ材９で形成されており、側板５、天蓋６および蓋側板７を形成するファルカタ材９の外表面には乾燥させた草花、図１では花びら１０による装飾が施されている。また、底板４と側板５、天蓋６と蓋側板７を組み合わせて固着する手段として、接着剤や止め具が用いられる。
【００１６】
合成樹脂フィルム８としては、ヒートシール可能なプラスチックフィルム、例えばポリプロピレン（ＣＰＰ）やポリエチレンテレフタレート（ＰＥＴ）、これらを延伸させた（ＯＰＰ）フィルムなどを用いることができる。
【００１７】
合成樹脂フィルム８の接着材１１は各種挙げられるが、特にファルカタ材９の被覆には、接着性の相性の点からエチレン―酢酸ビニル共重合樹脂が好ましい。エチレン―酢酸ビニル共重合樹脂は、一般にＥｔｈｙｌｅｎｃｅ−Ｖｉｎｙｌ  Ａｃｅｔａｔｅ（エチレン−酢酸ビニル共重合樹脂）の略称であるＥＶＡ樹脂と呼ばれているもので、柔軟性、強靱性、透明性に富んだ熱可塑性合成樹脂である。ファルカタ材に対しての接着力が他のものに比べて好適である。
【００１８】
ファルカタ材９は、アジア南方に広く植生する豆科の植木であるファルカタを製材したものである。ファルカタ材９は、比較的材料原価が安く、色は淡黄白色で、材質は軽く軟らかく加工しやすいという特性を有している。本実施形態のファルカタ材９は、ファルカタ木の丸太をかつらむき状に薄く切削し、２ｍｍ、３ｍｍ、６ｍｍの単板、４ｍｍ、５ｍｍ、６ｍｍの合板、２ｍｍ、３ｍｍ、４ｍｍ、５ｍｍ、６ｍｍのベニヤとして形成される。この厚さのファルカタ材が合成樹脂フィルムを貼付するのに最も好適である。
【００１９】
花びら１０は、植物の花を乾燥させたいわゆるドライフラワーであって、花びらを一枚一枚バラバラにしたものを用いる。なお、花びらのほか、葉などを用いることができ、また、花びらは一枚一枚でなくても、花そのものを押し花にしたものを用いてもよい。
【００２０】
図３に示すように、側板５の断面は、ファルカタ材９と、この表裏面に接着材１１によって貼着した合成樹脂フィルム８との三層、ないし、ファルカタ材９と、この表裏面に接着材１１によって貼着した合成樹脂フィルム８と、片側面に花びら１０が介在された四層構造に形成されている。また、図示しないが前記側板５と同じく、乾燥させた花びら１０の装飾が施された天蓋６、蓋側板７も同様の構造となっている（図示せず）。
【００２１】
次に、収納箱１の制作工程について説明する。
【００２２】
所定の厚さの板状に形成した長尺状のファルカタ材９をラミネート装置に配置し、接着材１１としてのエチレン―酢酸ビニル共重合樹脂が塗布された合成樹脂フィルム８を裏面（片側面）に熱融着させる。続いて、前記ファルカタ材９を裏返し、その表面の上に、乾燥させた花びら１０を模様として適当な位置に配置されるようにふりまき、その上から接着材１１としてのエチレン―酢酸ビニル共重合樹脂が塗布された合成樹脂フィルム８を熱融着させる。この場合、合成樹脂フィルム８の熱融着は、ファルカタ材９の上に花びら１０をふりまきながら気泡が生じないように行う必要があるため、熱融着させる際の速度は裏面のラミネート速度よりもゆっくりと行われる。
【００２３】
上記の工程を経て得られたファルカタ材９を適当な幅、長さに切断し、側板５、天蓋６、蓋側板７とする。側板５および蓋側板７は、加工後のファルカタ材９を適当な幅で帯状に切断し、帯状の板材を折れ筋に沿って筒状に折り曲げ、互いに接合した板材の両端部を接着剤で固着して形成される。そして、その筒状に形成した蓋側板７の上縁部に天蓋６を接合して蓋部２とし、また、筒状に形成した側板５の下縁部に底板４を接合して収納部３を得る。
【００２４】
以上より、本実施形態によれば、
１．板材を強化して制作段階でのロスを無くすこと
２．ファルカタ材であっても木粉の発生を防止して食品の包装に利用できること
３．木の質感を活かしつつ、色褪せや収縮、カビの発生を防止して鮮やかで立体的な花びらや葉等の草花による装飾を施すこと等の効果を奏することができる。
【００２５】
なお、本考案に係る収納箱は、前述した実施形態に限定されるものではなく、適宜変更することができる。例えば、収納箱の形状を、五角形、六角形などの多角形状、円形や楕円形などの曲面形状、角形と曲面の組み合わせ形状等、収納する物や食品の種類や量、用途等に応じて適宜設定することができる。また、収納箱の内部に仕切を設けてもよい。
【００２６】
また、蓋部２の構成も実施形態に限定されるものではなく、図４および図５に示すように天蓋６を蓋側板７の上にのせて付蓋にして、いわゆる被せ蓋や印籠蓋の構成にしてもよい。さらに、図６に示すように天蓋６のみを収納部３上に被せて、いわゆるのせ蓋に構成してもよいし、図７および図８に示すように天蓋６ないし側板５の縁部に溝を形成して、いわゆるシャクリ蓋や落とし蓋に構成してもよい。
【００２７】
また、図６ないし図８に示すように、収納部３における底板４を側板５の溝に嵌めるのではなく、側板５の下面に貼り付ける構成としてもよい。
【００２８】
さらに、本考案に係る収納箱を構成する底板４、側板５、天蓋６、蓋側板７のファルカタ材９において、合成樹脂フィルム８が両面に貼着されている必要はなく、合成樹脂フィルム８をファルカタ材９の片側面のみに貼着し、収納箱１の内部側には合成樹脂フィルム８が貼られない構成にしてもよい。
【図面の簡単な説明】
【００２９】
【図１】本考案に係る収納箱の一実施形態を示す斜視図である。
【図２】図１における収納箱１の収納部３の斜視図である。
【図３】本実施形態における収納部３の底板４と側板５の構成を示す一部断面図である。
【図４】本考案に係る収納箱の実施形態における天蓋６、蓋側板７、側板５、底板４の一構成例を示す断面図である。
【図５】本考案に係る収納箱の実施形態における天蓋６、蓋側板７、側板５、底板４の一構成例を示す断面図である。
【図６】本考案に係る収納箱の実施形態における天蓋６、側板５および底板４の一構成例を示す断面図である。
【図７】本考案に係る収納箱の実施形態における天蓋６、側板５および底板４の一構成例を示す断面図である。
【図８】本考案に係る収納箱の実施形態における天蓋６、側板５および底板４の一構成例を示す断面図である。
【符号の説明】
【００３０】
１  収納箱
２  蓋部
３  収納部
４  底板
５  側板
６  天蓋
７  蓋側板
８  合成樹脂フィルム
９  ファルカタ材
１０  花びら
１１  接着材
【図１】
0003115436.tif 000003
【図２】
0003115436.tif 000004
【図３】
0003115436.tif 000005
【図４】
0003115436.tif 000006
【図５】
0003115436.tif 000007
【図６】
0003115436.tif 000008
【図７】
0003115436.tif 000009
【図８】
0003115436.tif 000010